(57)【要約】【課題】熟練した作業者でなくても、品質の高いコンクリートを打設することが可能な建物の基礎構造の構築方法を提供する。【解決手段】基礎スラブ１とその上面の周縁に形成される立上り部とがコンクリートで構築される建物の基礎構造の構築方法である。  そして、立上り部の型枠５Ａ，５Ｂの内空を周縁の延伸方向を横断するように区画する工程と、区画された型枠の上方から立上り部と基礎スラブとの交差部に対して第１のコンクリートを打設する工程と、第１のコンクリートの上方に第２のコンクリートを打設する工程と、基礎スラブとなる第３のコンクリートを打設する工程とを備えている。【選択図】図１
2020117893.tif 000002
【特許請求の範囲】
【請求項１】
スラブ状の底板部と前記底板部の上面の周縁に形成される立上り部とがコンクリートで構築される建物の基礎構造の構築方法であって、
前記立上り部の型枠の内空を前記周縁の延伸方向を横断するように区画する工程と、
前記区画された型枠の上方からコンクリートを打設する工程と、
前記底板部となるコンクリートを打設する工程とを備えたことを特徴とする建物の基礎構造の構築方法。
【請求項２】
前記区画された型枠の上方からのコンクリートの打設は、
前記立上り部と前記底板部との交差部に対して第１のコンクリートを打設する工程と、
前記第１のコンクリートの上方に第２のコンクリートを打設する工程とによって行われることを特徴とする請求項１に記載の建物の基礎構造の構築方法。
【請求項３】
前記立上り部は、構造鉄筋が配置される構造部とそれ以外の非構造部とに区画されることを特徴とする請求項１又は２に記載の建物の基礎構造の構築方法。
【請求項４】
前記立上り部は、構造鉄筋が配置される構造部間が区画されることを特徴とする請求項１又は２に記載の建物の基礎構造の構築方法。
【請求項５】
前記型枠の内空の区画は、仕切板を配置することで行われることを特徴とする請求項１乃至４のいずれか１項に記載の建物の基礎構造の構築方法。
【請求項６】
前記非構造部に断熱材が配置されることを特徴とする請求項３に記載の建物の基礎構造の構築方法。
【請求項７】
前記断熱材の外側面側に、コンクリートが打設されることを特徴とする請求項６に記載の建物の基礎構造の構築方法。
【発明の詳細な説明】
【技術分野】
【０００１】
本発明は、べた基礎などのスラブ状の底板部と底板部の上面の周縁に形成される立上り部とがコンクリートで構築される建物の基礎構造の構築方法に関するものである。
【背景技術】
【０００２】
鉄筋コンクリートによってスラブ状に構築される基礎スラブの周縁に沿って、側壁が立ち上るように設けられる建物の基礎構造が知られている（特許文献１−３など参照）。特許文献１−３に開示された施工方法では、基礎スラブ用のコンクリートと側壁用のコンクリートとが一度に打設されて一体に構築される。
【先行技術文献】
【特許文献】
【０００３】
【特許文献１】特開２００１−１０７３７４号公報
【特許文献２】特開２０１６−１０４９６５号公報
【特許文献３】特開２０１７−６６８０４号公報
【発明の概要】
【発明が解決しようとする課題】
【０００４】
しかしながら、側壁用の型枠の内空は細長い溝状に形成されるため、その中でコンクリートを流動させて拡げたり、基礎スラブ側に流動させて拡げたりするには、粘度や気温によって変化するコンクリートの流動性の見極めやバイブレータの掛け方など、熟練した施工技術が要求される。
そこで、本発明は、熟練した作業者でなくても、品質の高いコンクリートを打設することが可能な建物の基礎構造の構築方法を提供することを目的としている。
【課題を解決するための手段】
【０００５】
前記目的を達成するために、本発明の建物の基礎構造の構築方法は、スラブ状の底板部と前記底板部の上面の周縁に形成される立上り部とがコンクリートで構築される建物の基礎構造の構築方法であって、前記立上り部の型枠の内空を前記周縁の延伸方向を横断するように区画する工程と、前記区画された型枠の上方からコンクリートを打設する工程と、前記底板部となるコンクリートを打設する工程とを備えたことを特徴とする。
【０００６】
ここで、前記区画された型枠の上方からのコンクリートの打設は、前記立上り部と前記底板部との交差部に対して第１のコンクリートを打設する工程と、前記第１のコンクリートの上方に第２のコンクリートを打設する工程とによって行うことができる。
【０００７】
また、前記立上り部は、構造鉄筋が配置される構造部とそれ以外の非構造部とに区画される構成とすることができる。一方、前記立上り部を、構造鉄筋が配置される構造部間で区画することもできる。
【０００８】
さらに、前記型枠の内空の区画は、仕切板を配置することで行うことができる。また、前記非構造部に断熱材が配置される構成とすることもできる。さらに、前記断熱材の外側面側に、コンクリートが打設される構成であってもよい。
【発明の効果】
【０００９】
このように構成された本発明の建物の基礎構造の構築方法は、底板部の上面の周縁に形成される立上り部のための型枠の内空を、延伸方向を横断するように区画する。そして、区画された型枠の上方からコンクリートを打設し、その後、底板部用のコンクリートを打設する。
【００１０】
このように区画された範囲にコンクリートを打設するのであれば、コンクリートを流動させて拡げるための熟練した施工技術を必要とせず、簡単に施工することができる。また、決められた順序で施工するだけで、品質の高いコンクリートを打設することができるようになる。
【００１１】
特に、立上り部のコンクリートの打設については、最初に立上り部と底板部との交差部に対して第１のコンクリートを打設し、その後、立上り部の上部用の第２のコンクリートを打設する順序で行うことができる。
【００１２】
また、立上り部が、構造鉄筋が配置される構造部とそれ以外の非構造部とに区画されるのであれば、非構造部の施工効率を上げるための様々な工夫ができるようになる。さらに、構造部となる内空を区画することでも、簡単にコンクリートを打設することができるようになる。
【図面の簡単な説明】
【００１３】
【図１】本実施の形態の建物の基礎構造の構築方法で使用する型枠の配置を説明する斜視図である。
【図２】建物の基礎構造の全体構成を説明する斜視図である。
【図３】コンクリートの打設工程を説明する図であって、（ａ）は束部と基礎スラブとの交差部に第１のコンクリートを打設する工程を示した説明図、（ｂ）は第２及び第３のコンクリートを打設する工程を示した説明図である。
【図４】実施例１の建物の基礎構造の構成を説明する斜視図である。
【図５】実施例２の建物の基礎構造の構成を説明する斜視図である。
【図６】実施例３の建物の基礎構造の構成を説明する斜視図である。
【図７】実施例４の建物の基礎構造の構成を説明する斜視図である。
【図８】実施例５の建物の基礎構造の構成を説明する斜視図である。
【図９】実施例６の建物の基礎構造の構成を説明する斜視図である。
【発明を実施するための形態】
【００１４】
以下、本発明の実施の形態について図面を参照して説明する。図１は、本実施の形態の建物の基礎構造１０の構築方法を説明するための斜視図であり、図２は、基礎構造１０の全体構成を示している。
【００１５】
本実施の形態の基礎構造１０は、コンクリートで構築される建物のべた基礎である。すなわち基礎構造１０は、図２に示すように、建物の基礎施工領域となる例えば平面視長方形領域に、鉄筋コンクリートによってスラブ状に構築された底板部としての基礎スラブ１と、その基礎スラブ１の周縁に布基礎状に形成される立上り部（２，３）とによって、主に構成される。
【００１６】
基礎スラブ１は、図示は省略するが、水平方向に向けて格子状に配筋された複数の鉄筋によって構成される配筋部と、現地で打設されるコンクリートとによって主に構成される。
【００１７】
基礎スラブ１の下方には、図１に示すように、栗石や捨てコンクリートなどによって捨石層１３が形成される。また、この板状の基礎スラブ１の下部は地面の下に埋め戻され、上部は地面から突出される。すなわち基礎スラブ１の側面１２の上部及び上面１１は、地面から突出されて露出された状態になる。
【００１８】
そして、図２に示すように、基礎スラブ１の周縁に沿って設けられる立上り部は、構造部となる束部２と、非構造部３とによって、主に構成される。構造部となる束部２には、主筋などの構造鉄筋が配置される。それ以外の非構造部３は、ひび割れ防止のための鉄筋を配置することもできるし、無筋にすることもできる。
【００１９】
束部２は、基礎スラブ１の周縁に間隔を置いて配置される。例えば束部２は、基礎スラブ１の隅角部では平面視略Ｌ字形に成形され、隅角部間の中間においては、平面視略長方形又は平面視略Ｔ字形に成形される。この束部２は、後述するように基礎スラブ１と一体になるように鉄筋コンクリートで構築される。
【００２０】
さらに、基礎スラブ１の内部にも、必要に応じてＩ型束部２４や中央束部２５が鉄筋コンクリートによって設けられる。対峙する平面視略Ｔ字形の束部２，２同士の交点には、平面視略長方形の中央束部２５が配置され、平面視略長方形の束部２と中央束部２５との間には、平面視略Ｉ字形のＩ型束部２４が配置される。
【００２１】
束部２には、基礎スラブ１の上面１１から壁状に立ち上げられる外側面２１ａが形成される。この外側面２１ａは、基礎スラブ１の側面１２とほぼ連続する鉛直面を形成する。また、束部２の上面には、アンカーボルト２３を介して建物を連結させるための補強プレート２２が配置される。
【００２２】
束部２の内側面２１ｂ側及び非構造部３の内側面３ｂ側には、図示しないが基礎断熱材が配置される。基礎断熱材には、例えば微細な気泡構造の発泡プラスチック系断熱材が使用できる。
【００２３】
次に、本実施の形態の建物の基礎構造１０の構築方法について説明する。
まず、基礎施工領域となる地面を掘削し、栗石（砕石）が敷き均された後に、捨てコンクリートを打設することで捨石層１３を設ける。そして、捨石層１３の上に基礎スラブ１用の鉄筋を配筋する。
【００２４】
また、基礎スラブ１用の鉄筋の上には、図１に示すように、立上り部となる束部２及び非構造部３の外側面２１ａ，３ａ及び内側面２１ｂ，３ｂを成形するための型枠５Ａ，５Ｂを組み立てる。
【００２５】
建物の基礎構造１０の外縁に沿って配置される型枠５Ａは、基礎スラブ１の側面１２も成形することになるため、基礎スラブ１の内部側に配置される型枠５Ｂよりも高さのある合板などで形成される。
【００２６】
一方、型枠５Ａと略平行となるように基礎スラブ１の内部側に配置される型枠５Ｂは、上端は型枠５Ａの上端と同じ高さに揃えられるが、下端は基礎スラブ１の上面１１の位置となり、捨石層１３に対しては浮いたような状態で支持される。
【００２７】
平行に配置される型枠５Ａ，５Ｂ間には、基礎スラブ１の周縁に沿って細長く延伸された溝状の内空が形成される。図１では、建物の基礎構造１０の隅角部周辺を拡大して示しているので、平面視略Ｌ字形に内空が形成されている。
【００２８】
そして、この型枠５Ａ，５Ｂ間の内空は、仕切板４によって、束部用内空２０と非構造部用内空３０とに区画される。この仕切板４は、内部側の型枠５Ｂと同じ高さで、内空の延伸方向を横断するように配置される。なお、仕切板４は、片側の空間に打設されたコンクリートによる側圧に対抗できるように支持されていればよく、束部用内空２０と非構造部用内空３０との間のコンクリートの移動を完全に遮断するものでなくてもよい。
【００２９】
続いて、現場打ちコンクリートを打設する工程について、図３を参照しながら説明する。図３（ａ）は、区画された束部用内空２０を例に、第１のコンクリートＣ１を打設する工程を示している。
【００３０】
第１のコンクリートＣ１は、束部２と基礎スラブ１との交差部に打設される。最初に打設されるコンクリートは、時間の経過とともに粘度が高くなって、流動性が低く拡がりにくくなる。なお、このコンクリートＣ１に、粘度が比較的に高く、流動性が低い材料を使用することもできる。例えば配合する水分量が少なかったり、流動化剤などが添加されていなかったりする硬めのフレッシュコンクリートを使用してもよい。
【００３１】
コンクリートＣ１は、例えばホースＨの吐出口から束部用内空２０の下方に向けて打ち込まれる。また、コンクリートＣ１の打ち込みに併せて、バイブレータＢによって振動が与えられる。
【００３２】
硬めのコンクリートＣ１が束部２と基礎スラブ１との交差部に打設されると、型枠５Ａ，５Ｂ間の下端開口が塞がれたことになる。また、束部用内空２０は、両側が仕切板４，４によって区画されているので、非構造部用内空３０側へのコンクリートＣ１の流動は起きない。このため、コンクリートＣ１を区画された所望する範囲に、確実に打設することができる。
【００３３】
そして、図３（ｂ）は、先に打設された第１のコンクリートＣ１の上方に、第２のコンクリートＣ２を打設する工程を示している。第２のコンクリートＣ２は、束部２の上部を形成するために、束部用内空２０の上方に打設される。このコンクリートＣ２には、第１のコンクリートＣ１と同じ材料が使用される。なお、第１のコンクリートＣ１より粘度が低く、流動性のあるフレッシュコンクリートを、第２のコンクリートＣ２に使用することもできる。
【００３４】
コンクリートの打ち重ねは、日本建築学会の基準では、打設間隔が120分以下（25℃以上の場合）になるように行われる。コンクリートＣ２は、ホースＨの吐出口から束部用内空２０に向けて打ち込まれ、バイブレータＢによって振動が与えられる。この空間は、型枠５Ａ，５Ｂと仕切板４，４と第１のコンクリートＣ１とによって区画されているため、流動性があるコンクリートＣ２によって、隅々まで効率的にコンクリートＣ２を充填させることができる。
【００３５】
続いて、基礎スラブ１となる第３のコンクリートＣ３を打設する。第３のコンクリートＣ３も、第２のコンクリートＣ２と同様に、第１のコンクリートＣ１と同じ材料が使用されるが、第１のコンクリートＣ１より粘度が低く、流動性のあるフレッシュコンクリートを使用することもできる。
【００３６】
コンクリートＣ３は、ホースＨの吐出口から基礎スラブ１用に配筋がされた空間に打ち込まれ、バイブレータＢによって振動が与えられる。また、第３のコンクリートＣ３に流動性の高い材料を使用することで、広範囲に平面的に広がる領域に、効率的にコンクリートＣ３を打設することもできる。
【００３７】
一つの束部用内空２０に対するコンクリートの打設が終了した後に、別の束部用内空２０又は非構造部用内空３０に対するコンクリートＣ１，Ｃ２，Ｃ３の打設を行う。なお、束部用内空２０及び非構造部用内空３０に対するコンクリートＣ１，Ｃ２の打設を先行して行い、最後に基礎スラブ１用の空間にまとめて第３のコンクリートＣ３を打ち込む工程とすることもできる。
【００３８】
コンクリートの養生後は、型枠５Ａ，５Ｂを撤去し、束部２や非構造部３の表面に付着しているコンクリートノロなどの汚れや異物を除去する。また、束部２及び非構造部３の内部側には、接着剤が塗布された基礎断熱材を貼り付ける。さらに、束部２及び非構造部３の上面は、防水シートで覆う。また、束部２及び非構造部３の外側面２１ａ，３ａには、塗装によって被覆層を設ける。
【００３９】
次に、本実施の形態の建物の基礎構造１０の構築方法の作用について説明する。
このように構成された本実施の形態の建物の基礎構造１０の構築方法は、基礎スラブ１の上面１１の周縁に形成される束部２及び非構造部３のための型枠５Ａ，５Ｂの内空を、延伸方向を横断するように仕切板４によって区画する。
【００４０】
そして、束部用内空２０と非構造部用内空３０とに区画された型枠５Ａ，５Ｂの上方から、最初に立上り部（束部２，非構造部３）と基礎スラブ１との交差部に対して第１のコンクリートＣ１を打設し、その後、立上り部の上部用の第２のコンクリートＣ２と、基礎スラブ１用の第３のコンクリートＣ３とを打設する。
【００４１】
このように区画された範囲にコンクリートを打設するのであれば、コンクリートを流動させて拡げるための熟練した施工技術を必要とせず、経験の浅い作業者でも簡単に施工することができる。また、決められた順序で施工するだけで、品質の高いコンクリートを打設することができるようになる。
【００４２】
特に、交差部に打設する第１のコンクリートＣ１の粘度が時間の経過などで高くなると、第１のコンクリートＣ１が束部用内空２０や非構造部用内空３０の下端開口の仕切部になって、新たな区画が形成され、限られた範囲により確実にコンクリートが打設できるようになる。
【００４３】
また、立上り部が、構造鉄筋が配置される構造部となる束部２と、それ以外の非構造部３とに区画されるのであれば、非構造部３は鉄筋をひび割れ鉄筋程度に減らしたり、無筋にしたりすることで、コンクリートが流動しやすい隙間の多い空間にして、施工効率を上げることができる。
【実施例１】
【００４４】
以下、前記実施の形態で説明した建物の基礎構造の構築方法によって構築される建物の基礎構造１０Ａの構成について、図４を参照しながら説明する。なお、前記実施の形態で説明した内容と同一乃至均等な部分の説明については、同一用語又は同一符号を付して説明する。
【００４５】
本実施例１で説明する建物の基礎構造１０Ａは、立上り部となる非構造部３Ａに、ひび割れ防止用の鉄筋が配筋される。すなわち基礎構造１０Ａは、スラブ状に構築された基礎スラブ１と、その基礎スラブ１の上面１１の周縁に沿って間隔を置いて配置された複数の束部２Ａ，２Ａと、束部２Ａ，２Ａ間に配置される非構造部３Ａと、立上り部の内部側に配置される基礎断熱材７とによって、主に構成される。
【００４６】
そして、束部２Ａと非構造部３Ａとの間は、前記実施の形態で説明したように、コンクリートを打ち込む前に区画がされる。すなわち、前記実施の形態で説明した仕切板４の位置に、目地板４１が配置される。
【００４７】
この目地板４１には、セメント系材料との接着性能が高い押出法ポリスチレンフォームなどの発泡プラスチック系断熱材や合板などが使用できる。また、目地板４１の外側面側には、目地４０となる隙間を設けることもできる。この隙間となる目地４０を形成する箇所には、コンクリート硬化後に容易に除去が出来たり、隙間と同等と見なせたりするボイド材などを配置する。
【００４８】
非構造部３Ａには、ひび割れ防止や外部からの衝撃力に対抗させるために、鉄筋が配置される。鉄筋は、鉛直方向に縦筋３１が略平行に配筋され、水平方向に横筋３２が略平行に配筋される。すなわち、縦筋３１，・・・と横筋３２，・・・とによって、格子状の配筋がされる。
【００４９】
このような縦筋３１は、基礎スラブ１の構造鉄筋であるスラブ鉄筋１４の端部を折り曲げることによって設けることができる。また、縦筋３１に略直交する横筋３２は、せん断補強筋として機能する。
【００５０】
束部２Ａの内側面２１ｂ及び非構造部３Ａの内部側の側面には、接着剤が塗布された長方形板状の基礎断熱材７が、連続して貼り付けられる。また、面一に形成された基礎構造１０Ａの外側面には、外装として被覆層６を塗装などで設けることができる。
【００５１】
このように構成された実施例１の建物の基礎構造１０Ａは、非構造部３Ａに鉄筋（３１，３２）を配筋するが、ひび割れ防止、外部衝撃に対する耐力向上、堅牢感の創出のために配筋される程度のため、コンクリートの打設作業の効率を低下させるものではない。
なお、他の構成及び作用効果については、前記実施の形態又は他の実施例と略同様であるので説明を省略する。
【実施例２】
【００５２】
以下、前記実施の形態で説明した建物の基礎構造の構築方法によって構築される建物の基礎構造１０Ｂの構成について、図５を参照しながら説明する。なお、前記実施の形態又は実施例１で説明した内容と同一乃至均等な部分の説明については、同一用語又は同一符号を付して説明する。
【００５３】
本実施例２で説明する建物の基礎構造１０Ｂは、立上り部となる非構造部が、鉄筋を配筋しない無筋部３Ｂとなる。すなわち基礎構造１０Ｂは、スラブ状に構築された基礎スラブ１と、その基礎スラブ１の上面１１の周縁に沿って間隔を置いて配置された複数の束部２Ｂ，２Ｂと、束部２Ｂ，２Ｂ間に配置される無筋部３Ｂと、立上り部の内部側に配置される基礎断熱材７とによって、主に構成される。
【００５４】
無筋部３Ｂには、ひび割れを防止する目的で、ワイヤーメッシュを配置したり、繊維補強コンクリートを使用したり、無筋部３Ｂの表面にメッシュ材を貼り付けたりする構成にすることもできる。
【００５５】
そして、束部２Ｂと無筋部３Ｂとの間は、前記実施の形態で説明したように、コンクリートを打ち込む前に区画がされる。すなわち、前記実施の形態で説明した仕切板４の位置に、目地板４１と目地４０の隙間が設けられる。
【００５６】
このように構成された実施例２の建物の基礎構造１０Ｂは、束部２Ｂ，２Ｂ間は鉄筋が配筋されない無筋部３Ｂとなるため、コンクリートの打設作業を短時間で行うことができる。
なお、他の構成及び作用効果については、前記実施の形態又は他の実施例と略同様であるので説明を省略する。
【実施例３】
【００５７】
以下、前記実施の形態で説明した建物の基礎構造の構築方法によって構築される建物の基礎構造１０Ｃの構成について、図６を参照しながら説明する。なお、前記実施の形態又は実施例１，２で説明した内容と同一乃至均等な部分の説明については、同一用語又は同一符号を付して説明する。
【００５８】
本実施例３で説明する建物の基礎構造１０Ｃは、立上り部となる非構造部が、保護コンクリート部３Ｃと断熱材８とによって構成される。すなわち基礎構造１０Ｃは、スラブ状に構築された基礎スラブ１と、その基礎スラブ１の上面１１の周縁に沿って間隔を置いて配置された複数の束部２Ｃ，２Ｃと、束部２Ｃ，２Ｃ間に平面視略平行となるように並べて配置される保護コンクリート部３Ｃ及び断熱材８と、立上り部の内部側に配置される基礎断熱材７とによって、主に構成される。
【００５９】
断熱材８は、目地板４１，４１間の開口を埋めるように配置される。この断熱材８には、押出法ポリスチレンフォームなどの発泡プラスチック系断熱材などが使用できる。そして、束部２Ｃ，２Ｃ間の長方形の開口を塞ぐように配置される長方形板状の断熱材８の外側面８ａ側は、保護コンクリート部３Ｃで覆われる。
【００６０】
保護コンクリート部３Ｃは、無筋であっても鉄筋が配置されていても、いずれの構成であってもよい。また、保護コンクリート部３Ｃに、ワイヤーメッシュを配置したり、繊維補強コンクリートを使用したりすることもできる。
【００６１】
そして、外側面側の型枠５Ａと断熱材８の外側面８ａと目地板４１，４１とによって囲まれた区画には、前記実施の形態で説明した工程で、コンクリートＣ１，Ｃ２が打ち込まれて保護コンクリート部３Ｃが形成される。
【００６２】
このように構成された実施例３の建物の基礎構造１０Ｃは、束部２Ｃ，２Ｃ間に断熱材８が配置されるので、基礎の断熱性能を高めることができるうえに、断熱材８の外側面８ａ側を現場打ちコンクリートのような不燃性材料の保護コンクリート部３Ｃで覆うことで、防火性を高めることができる。
なお、他の構成及び作用効果については、前記実施の形態又は他の実施例と略同様であるので説明を省略する。
【実施例４】
【００６３】
以下、前記実施の形態で説明した建物の基礎構造の構築方法によって構築される建物の基礎構造１０Ｄの構成について、図７を参照しながら説明する。なお、前記実施の形態又は実施例１−３で説明した内容と同一乃至均等な部分の説明については、同一用語又は同一符号を付して説明する。
【００６４】
本実施例３で説明する建物の基礎構造１０Ｄは、立上り部となる非構造部が、厚みのある断熱材８Ｄと外装板３Ｄとによって構成される。すなわち基礎構造１０Ｄは、スラブ状に構築された基礎スラブ１と、その基礎スラブ１の上面１１の周縁に沿って間隔を置いて配置された複数の束部２Ｄ，２Ｄと、束部２Ｄ，２Ｄ間の開口を埋めるように配置される板状の断熱材８Ｄと、断熱材８Ｄの外側面８ａ側に配置される外装板３Ｄと、束部２Ｄの内側面２１ｂ側に配置される基礎断熱材７Ｄとによって、主に構成される。
【００６５】
外装板３Ｄは、断熱材８Ｄの外側面８ａより一回り大きな長方形の板状に形成されていて、断熱材８Ｄの外側面８ａを覆ったうえで張り出された両側の側縁と下縁とが、束部２Ｄ，２Ｄ及び基礎スラブ１の側面１２に埋め込まれる。
【００６６】
このような外装板３Ｄには、防蟻断熱材、押出法ポリスチレンフォームなどの発泡プラスチック系断熱材が使用できる。例えば、ポリカーボネート樹脂を高倍率に発泡させることで硬質にして、防蟻性能を高めることができる。このような防蟻断熱材は、ポリスチレンフォームに比べて高い耐熱性能を備えるとともに、セメント系材料との接着性能も高い。また、複数ひび割れ型繊維補強セメント板（HPFRCC:High Performance Fiber Reinforced Cement Composites）などを外装板３Ｄにすることもできる。
【００６７】
また、束部２Ｄの内側面２１ｂを覆うように、接着剤が塗布された板状の基礎断熱材７Ｄが貼り付けられる。基礎断熱材７Ｄは、側縁部が断熱材８Ｄの縁部に差しかかる位置まで延伸される。
【００６８】
実施例４では、断熱材８Ｄの端面及び外装板３Ｄの側縁部が、束部２Ｄを構築するために型枠５Ａ，５Ｂの内空を区画するための仕切部になる。そして、型枠５Ａ，５Ｂと断熱材８Ｄの端面及び外装板３Ｄの側縁部とによって囲まれた区画には、前記実施の形態で説明した工程で、コンクリートＣ１，Ｃ２が打ち込まれる。
【００６９】
このように構成された実施例４の建物の基礎構造１０Ｄは、束部２Ｄ，２Ｄ間に厚い断熱材８Ｄが配置されるので、基礎の断熱性能をより高めることができる。また、外装板３Ｄが防蟻性を備えていれば、白蟻などが外装板３Ｄの内部に蟻道を設けることを防ぐことができるので、基礎構造内への白蟻の侵入を効果的に防ぐことができる。
【００７０】
また、基礎スラブ１の側面１２並びに束部２Ｄの外側面２１ａ及び外装板３Ｄの外側面３ａに連続した被覆層６が設けられるのであれば、連続性と一体感のある外装の意匠を創出することができる。
なお、他の構成及び作用効果については、前記実施の形態又は他の実施例と略同様であるので説明を省略する。
【実施例５】
【００７１】
以下、前記実施の形態で説明した建物の基礎構造の構築方法によって構築される建物の基礎構造１０Ｅの構成について、図８を参照しながら説明する。なお、前記実施の形態又は実施例１−４で説明した内容と同一乃至均等な部分の説明については、同一用語又は同一符号を付して説明する。
【００７２】
本実施例５で説明する建物の基礎構造１０Ｅは、立上り部となる非構造部が、断熱材８Ｅのみによって構成される。すなわち基礎構造１０Ｅは、スラブ状に構築された基礎スラブ１と、その基礎スラブ１の上面１１の周縁に沿って間隔を置いて配置された複数の束部２Ｅ，２Ｅと、束部２Ｅ，２Ｅ間の開口を埋めるように配置される板状の断熱材８Ｅと、束部２Ｅの内側面２１ｂ側に配置される基礎断熱材７Ｄとによって、主に構成される。
【００７３】
断熱材８Ｅには、束部２Ｅとほぼ同じ厚さで長方形板状に成形された押出法ポリスチレンフォームなどの発泡プラスチック系断熱材などが使用できる。そして、この断熱材８Ｅの端面が、束部２Ｅを構築するために型枠５Ａ，５Ｂの内空を区画するための仕切部になる。要するに、型枠５Ａ，５Ｂと断熱材８Ｅの端面とによって囲まれた区画には、前記実施の形態で説明した工程で、コンクリートＣ１，Ｃ２が打ち込まれる。
【００７４】
また、束部２Ｅと断熱材８Ｅとによって面一に形成された基礎構造１０Ｅの外側面２１ａ，８ａに、外装として連続した被覆層６Ｅを設ける。例えば、高弾性樹脂モルタルなどを塗布した下地層６１の表面に塗装を仕上に塗布することで、被覆層６Ｅを形成することができる。
【００７５】
このように構成された実施例５の建物の基礎構造１０Ｅは、束部２Ｅ，２Ｅ間に断熱材８Ｅが配置されるので、基礎の断熱性能を高めることができる。また、断熱材８Ｅの端面だけで型枠５Ａ，５Ｂの内空を区画することができるので、施工性に優れている。
なお、他の構成及び作用効果については、前記実施の形態又は他の実施例と略同様であるので説明を省略する。
【実施例６】
【００７６】
以下、前記実施の形態で説明した建物の基礎構造の構築方法によって構築される建物の基礎構造１０Ｆの構成について、図９を参照しながら説明する。なお、前記実施の形態又は実施例１−５で説明した内容と同一乃至均等な部分の説明については、同一用語又は同一符号を付して説明する。
【００７７】
本実施例６で説明する建物の基礎構造１０Ｆは、立上り部がすべて構造部によって構成される。すなわち基礎構造１０Ｆは、スラブ状に構築された基礎スラブ１と、その基礎スラブ１の上面１１の周縁に沿って設けられる立上り部（９１，９２）と、立上り部の内側面９１ｂ側に配置される基礎断熱材７とによって、主に構成される。
【００７８】
立上り部には、基礎スラブ１の隅角部に平面視略Ｌ字形に成形されるコーナー部９１、コーナー部９１，９１部間に平面視略長方形又は平面視略Ｔ字形に成形される中間部９２などによって構成される。
【００７９】
コーナー部９１や中間部９２などの立上り部には、主筋９４などの構造鉄筋が配置される。詳細には、コーナー部９１及び中間部９２には、水平方向に主筋９４が連続して配筋され、主筋９４に直交する鉛直方向にせん断補強筋９５が配筋される。
【００８０】
そして、外側面９１ａ側の型枠５Ａと内側面９１ｂ側の型枠５Ｂとの間の内空は、仕切板９３によって、コーナー部９１用の内空と中間部９２用の内空とに区画される。この仕切板９３は、内部側の型枠５Ｂと同じ高さで、内空の延伸方向を横断するように配置される。
【００８１】
また、仕切板９３には、コーナー部９１と中間部９２とに跨って連続して配置される主筋９４，９４との干渉を避けるために、スリット９３１が形成される。また、仕切板９３は、両側にコンクリートが打設された後に抜き取られ、その跡となる空隙には、コンクリートやモルタルなどが充填された充填部９６が設けられる。
【００８２】
このように構成された実施例６の建物の基礎構造１０Ｆは、構造部となる立上り部のコーナー部９１と中間部９２とが仕切板９３によって区画されるので、コンクリートを流動させて拡げるための熟練した施工技術を必要とせず、経験の浅い作業者でも簡単に施工することができる。
なお、他の構成及び作用効果については、前記実施の形態又は他の実施例と略同様であるので説明を省略する。
【００８３】
以上、図面を参照して、本発明の実施の形態及び実施例を詳述してきたが、具体的な構成は、この実施の形態及び実施例に限らず、本発明の要旨を逸脱しない程度の設計的変更は、本発明に含まれる。
【００８４】
例えば、前記実施の形態では、第１のコンクリートＣ１と第２のコンクリートＣ２の２回に分けて立上り部のコンクリートを打設する方法について説明したが、これに限定されるものではなく、１回で立上り部のコンクリートの打設を行うこともできる。
【符号の説明】
【００８５】
１０，１０Ａ−１０Ｆ：建物の基礎構造
１          ：基礎スラブ（底板部）
１１        ：上面
２，２Ａ−２Ｅ：束部（立上り部、構造部）
３，３Ａ：  ：非構造部（立上り部）
３Ｂ        ：無筋部（立上り部、非構造部）
３Ｃ        ：保護コンクリート部（立上り部、非構造部）
４          ：仕切板
４１        ：目地板（仕切板）
５Ａ，５Ｂ  ：型枠
７，７Ｄ    ：基礎断熱材
８，８Ｄ，８Ｅ：断熱材
８ａ        ：外側面
９１        ：コーナー部（立上り部、構造部）
９２        ：中間部（立上り部、構造部）
９３        ：仕切板
【図１】
2020117893.tif 000003
【図２】
2020117893.tif 000004
【図３】
2020117893.tif 000005
【図４】
2020117893.tif 000006
【図５】
2020117893.tif 000007
【図６】
2020117893.tif 000008
【図７】
2020117893.tif 000009
【図８】
2020117893.tif 000010
【図９】
2020117893.tif 000011